(57)【要約】  【課題】  被削面の面粗さや耐久性の向上を図ることができると共に、安価に製造することができるラジアスエンドミル、及び、ラジアスエンドミルの製造方法を提供すること。  【解決手段】  逃げ面６ａ〜６ｄの研削を一工程で連続して行う。例えば、逃げ面６ａの研削は、軸芯回りに回転される研削砥石の外周面を逃げ面６ａとなる部位に摺接させつつ、その研削砥石を底刃７ａの逃げ面６ａとなる部位から外周刃５ａの逃げ面６ａとなる部位まで連続移動させる。これにより、例えば、底刃７ａの逃げ面６ａとコーナＲ刃８ａの逃げ面６ａとの接続部分などを滑らかに連ならせて、かかる接続部分に段差が発生することを抑制することができる。その結果、従来品のように、段差が被削面に筋を形成して、面粗さが劣化することや、段差を起点として摩耗が促進されて、耐久性が低下することを回避することができる。また、研削時間を短縮して、安価に製造することもできる。  【選択図】        図１
2006263870.tif 000002
【特許請求の範囲】
【請求項１】
軸芯回りに回転される工具本体と、その工具本体の先端側に設けられる底刃と、前記工具本体の外周側に設けられる外周刃と、それら外周刃と底刃とを連接して設けられるコーナＲ刃とを備えたラジアスエンドミルにおいて、
前記底刃、コーナＲ刃及び外周刃の逃げ面が一工程で連続して形成され、それら底刃、コーナＲ刃及び外周刃の逃げ面形状と前記コーナＲ刃を真円と仮定した場合の理想逃げ面形状との間に生じる最大離間距離が１μｍ以下に設定されていることを特徴とするラジアスエンドミル。
【請求項２】
軸芯回りに回転される工具本体と、その工具本体の先端側に設けられる底刃と、前記工具本体の外周側に設けられる外周刃と、それら外周刃と底刃とを連接して設けられるコーナＲ刃とを備えたラジアスエンドミルの製造方法において、
前記工具本体を研磨して前記底刃、コーナＲ刃及び外周刃の逃げ面を形成する逃げ面形成工程を備え、
その逃げ面形成工程は、前記底刃から外周刃（又は前記外周刃から底刃）まで研削砥石を連続移動させ、前記底刃、コーナＲ刃及び外周刃の逃げ面形状と前記コーナＲ刃を真円と仮定した場合の理想逃げ面形状との間の最大離間距離を１μｍ以下に設定するものであることを特徴とするラジアスエンドミルの製造方法。
【発明の詳細な説明】
【技術分野】
【０００１】
本発明は、ラジアスエンドミル、及び、ラジアスエンドミルの製造方法に関し、特に、被削面の面粗さや耐久性の向上を図ることができると共に、安価に製造することができるラジアスエンドミル、及び、ラジアスエンドミルの製造方法に関するものである。
【背景技術】
【０００２】
金型などの３次元曲面加工にはボールエンドミルの使用が一般的であり、ラジアスエンドミルは、被切削物に円弧形状（Ｒ取り）を付す場合や、切れ刃のコーナ部を補強して損耗を緩和する場合などに使用されるのが一般的であった。しかし、近年では、作業時間の短縮が望まれ、高速切削が要求されていることから、ラジアスエンドミルを３次元加工に使用する技術も開発されている（特許文献１）。
【０００３】
ところで、ラジアスエンドミルの刃付け加工（逃げ面形成工程）は、研削砥石を使用した研削加工により、外周刃及び底刃の逃げ面をそれぞれ別工程で形成した後、次いで、コーナＲ刃（ラジアス刃）の逃げ面を更に別工程で形成することにより行われる。
【特許文献１】特開平１１−９０７２２号公報
【発明の開示】
【発明が解決しようとする課題】
【０００４】
しかしながら、従来のラジアスエンドミルでは、外周刃の逃げ面とコーナＲ刃の逃げ面との接続部分、及び、コーナＲ刃の逃げ面と底刃の逃げ面との接続部分に段差が生じ、その結果、加工時には、前記段差が被切削物の被削面に筋を形成してしまうという問題点があった。
【０００５】
また、段差部分が偏摩耗して、エンドミルの耐久性が低下するという問題点や、各切れ刃に対しそれぞれ別工程で３種類の刃付け加工（逃げ面形成工程）を行うため、寸法管理コストや加工時間が嵩み、エンドミル全体としての製品コストが増加するという問題点もあった。
【０００６】
本発明は、上述した問題点を解決するためになされたものであり、被削面の面粗さや耐久性の向上を図ることができると共に、安価に製造することができるラジアスエンドミル、及び、ラジアスエンドミルの製造方法を提供することを目的としている。
【課題を解決するための手段】
【０００７】
この目的を達成するために、請求項１記載のラジアスエンドミルは、軸芯回りに回転される工具本体と、その工具本体の先端側に設けられる底刃と、前記工具本体の外周側に設けられる外周刃と、それら外周刃と底刃とを連接して設けられるコーナＲ刃とを備えたものであり、前記底刃、コーナＲ刃及び外周刃の逃げ面が一工程で連続して形成され、それら底刃、コーナＲ刃及び外周刃の逃げ面形状と前記コーナＲ刃を真円と仮定した場合の理想逃げ面形状との間に生じる最大離間距離が１μｍ以下に設定されている。
【０００８】
請求項２記載のラジアスエンドミルの製造方法は、軸芯回りに回転される工具本体と、その工具本体の先端側に設けられる底刃と、前記工具本体の外周側に設けられる外周刃と、それら外周刃と底刃とを連接して設けられるコーナＲ刃とを備えたラジアスエンドミルの製造方法であり、前記工具本体を研磨して前記底刃、コーナＲ刃及び外周刃の逃げ面を形成する逃げ面形成工程を備え、その逃げ面形成工程は、前記底刃から外周刃（又は前記外周刃から底刃）まで研削砥石を連続移動させ、前記底刃、コーナＲ刃及び外周刃の逃げ面形状と前記コーナＲ刃を真円と仮定した場合の理想逃げ面形状との間の最大離間距離を１μｍ以下に設定するものである。
【発明の効果】
【０００９】
請求項１記載のラジアスエンドミルによれば、底刃、コーナＲ刃及び外周刃の逃げ面形状とコーナＲ刃を真円と仮定した場合の理想逃げ面形状との間に生じる最大離間距離が１μｍ以下に設定されているので、外周刃の逃げ面とコーナＲ刃の逃げ面との接続部分、及び、コーナＲ刃の逃げ面と底刃の逃げ面との接続部分を滑らかな形状に構成することができるという効果がある。
【００１０】
その結果、前記接続部分の段差が被切削物の被削面に筋を形成するという従来品の不具合を解消して、被削面の面粗さの向上を図ることができるという効果がある。また、段差部分が偏摩耗するという従来品の不具合を解消して、耐久性の向上を図ることができるという効果もある。
【００１１】
更に、従来品では、底刃、コーナＲ刃及び外周刃に対する３種類の刃付け加工（逃げ面形成工程）をそれぞれ別工程で行うため、それら各工程で研削砥石を加工部に対して接離移動させる必要が生じ、その分、加工時間が嵩むところ、本発明のラジアスエンドミルによれば、底刃、コーナＲ刃及び外周刃の逃げ面が一工程で連続して形成されるので、刃付け加工における加工時間を短縮して、安価に製造することができるという効果がある。
【００１２】
また、このように、３種類の工程を必要としていた刃付け加工（逃げ面形成工程）が１工程に短縮されれば、寸法管理が容易となるので、管理コストを低減して、ラジアスエンドミルの製品コストを低減することができると共に、前記接続部分の段差が抑制され、高精度の逃げ面形状を得ることができるという効果がある。
【００１３】
請求項２記載のラジアスエンドミルの製造方法によれば、逃げ面形成工程は、底刃、コーナＲ刃及び外周刃の逃げ面形状とコーナＲ刃を真円と仮定した場合の理想逃げ面形状との間に生じる最大離間距離を１μｍ以下に設定するものであるので、外周刃の逃げ面とコーナＲ刃の逃げ面との接続部分、及び、底刃の逃げ面とコーナＲ刃の逃げ面との接続部分が滑らかな形状に構成されたラジアスエンドミルを製造することができるという効果がある。
【００１４】
その結果、前記接続部分の段差が被切削物の被削面に筋を形成するという従来品の不具合を解消して、被削面の面粗さの向上を図り得るラジアスエンドミルを製造することができるという効果がある。また、段差部分が偏摩耗するという従来品の不具合を解消して、耐久性の向上を図り得るラジアスエンドミルを製造することができるという効果もある。
【００１５】
更に、従来の製造方法では、底刃、コーナＲ刃及び外周刃に対する３種類の刃付け加工（逃げ面形成工程）をそれぞれ別工程で行うため、それら各工程で研削砥石を加工部に対して接離移動させる必要が生じ、その分、加工時間が嵩むところ、本発明の製造方法によれば、底刃、コーナＲ刃及び外周刃の逃げ面が一工程で連続して形成される、即ち、底刃から外周刃（又は外周刃から底刃）まで研削砥石を連続移動させるので、刃付け加工における加工時間を短縮して、ラジアスエンドミルを安価に製造することができるという効果がある。
【００１６】
また、このように、３種類の工程を必要としていた刃付け加工（逃げ面形成工程）が１工程に短縮されれば、寸法管理が容易となるので、管理コストを低減して、ラジアスエンドミルを安価に製造することができると共に、前記接続部分の段差が抑制され、高精度の逃げ面形状を有するラジアスエンドミルを製造することができるという効果がある。
【発明を実施するための最良の形態】
【００１７】
以下、本発明の好ましい実施の形態について、添付図面を参照して説明する。図１は、本発明の一実施の形態であるラジアスエンドミル１の正面図であり、図２は、図１の矢印ＩＩ方向から見たラジアスエンドミル１の先端面図である。なお、図１では、ラジアスエンドミル１の一端側（シャンク側）の図示を省略している。
【００１８】
まず、図１及び図２を参照してラジアスエンドミル１の全体構成について説明する。ラジアスエンドミル１は、超硬合金からなる工具本体２を有するソリッドタイプのエンドミルであり、その工具本体２の一端（図１の左側）を保持するホルダー（図示せず）を介してマシニングセンタ等の加工機械の回転力が伝達され、例えば、金型の３次元加工を行う用途などに用いられる工具である。
【００１９】
工具本体２は、タングステンカーバイト（ＷＣ）等を加圧焼結した超硬合金により構成されており、その一端側（図１の左側）にはシャンク（図示せず）が円柱状に形成されている。一方、工具本体２の他端側（図１の右側）には、図１及び図２に示すように、刃部３が形成されている。
【００２０】
刃部３は、主に、切りくず排出溝４ａ〜４ｄ、外周刃５ａ〜５ｄ、底刃７ａ〜７ｄ、コーナＲ刃８ａ〜８ｄ、ギャッシュ９ａ〜９ｄ等を備えており、この刃部３によって金型等の自由曲面加工が行われる。
【００２１】
切りくず排出溝４ａ〜４ｄは、切削加工中の切りくずの生成、収容及び排出を行うためのものであり、図１及び図２に示すように、ねじれを伴う４本の切りくず排出溝４ａ〜４ｄが工具本体２の回転軸線Ｏに対して対称に配設されている。
【００２２】
外周刃５ａ〜５ｄは、工具本体２の外周側に形成される切れ刃であり、軸芯Ｏに対してねじれたねじれ刃として構成されている。底刃７ａ〜７ｄは、工具本体２の先端面（図１右側端面）に形成される切れ刃であり、中心凹角を有して構成されている。また、コーナＲ刃８ａ〜８ｄは、底刃７ａ〜７ｄと外周刃５ａ〜５ｄとを連結し、その連結部分に丸コーナを形成するための切れ刃である。
【００２３】
これら外周刃５ａ〜５ｄ、底刃７ａ〜７ｄ及びコーナＲ刃８ａ〜８ｄは、図１及び図２に示すように、切りくず排出溝４ａ〜４ｄ（又は、ギャッシュ９ａ〜９ｄ）と逃げ面６ａ〜６ｄとが交差する各稜線部分に４枚がそれぞれ形成されている。なお、本実施の形態では、後述するように、逃げ面６ａ〜６ｄが一工程で連続して形成されることで、各切れ刃の逃げ面の接続部分が滑らかに連なり、段差の発生が抑制されている。
【００２４】
ギャッシュ９ａ〜９ｄは、底刃７ａ〜７ｄ及びコーナＲ刃８ａ〜８ｄにおける切りくずの排出性を高めるための溝であり、各切りくず排出溝４ａ〜４ｄにそれぞれ１本ずつ合計４本が凹設されている。なお、底刃７ａ〜７ｄ及びコーナＲ刃８ａ〜８ｄは、ギャッシュ９ａ〜９ｄのギャッシュ面によりすくい面が形成されている。
【００２５】
図２に示すように、ギャッシュ９ｂ，９ｄは、逃げ面６ａ，６ｃから底刃７ａ，７ｃを切削方向（図２反時計回り）前方側に超えて凹設される一方、ギャッシュ９ａ，９ｃは、それぞれ逃げ面６ｂ，６ｄの中途まで凹設されている。その結果、ラジアスエンドミル１の先端側（図２紙面手前側）には、心残しが形成され、底刃７ｂ，７ｄがそれぞれ回転軸線Ｏを超えて延設されている。
【００２６】
次いで、ラジアスエンドミル１の製造方法について説明する。ラジアスエンドミル１の製造に際しては、まず、超硬合金からなる工具素材に円筒研削加工を施して、工具素材の一端側にシャンクを形成すると共に、他端側におねじ部３の外形を形成する。
【００２７】
そして、外形が形成されたおねじ部３に溝研削加工を施して、切りくず排出溝４ａ〜４ｄを形成した後、その切りくず排出溝４ａ〜４ｄにギャッシュ研削加工を施して、ギャッシュ９ａ〜９ｄを形成する。
【００２８】
切りくず排出溝４ａ〜４ｄ及びギャッシュ９ａ〜９ｄを形成した後は、逃げ面形成工程へ移行して、研削砥石で逃げ面６ａ〜６ｄを研削することで、外周刃５ａ〜５ｄ、コーナＲ刃８ａ〜８ｄ及び底刃７ａ〜７ｄをおねじ部３に形成する。
【００２９】
ここで、逃げ面６ａ〜６ｄの研削は、それぞれ一工程で連続して行われる。例えば、逃げ面６ａの研削は、軸芯回りに回転される研削砥石の外周面を逃げ面６ａとなる部位に摺接させつつ、その研削砥石を底刃７ａの逃げ面６ａとなる部位からコーナＲ刃８ａの逃げ面６ａとなる部位を介して外周刃５ａの逃げ面６ａとなる部位まで連続移動させることで行われる。
【００３０】
これにより、底刃７ａの逃げ面６ａとコーナＲ刃８ａの逃げ面６ａとの接続部分、及び、コーナＲ刃８ａの逃げ面６ａと外周刃５ａの逃げ面６ａとの接続部分を滑らかに連ならせて、かかる接続部分に段差が発生することを抑制することができる。
【００３１】
なお、他の逃げ面６ｂ〜６ｄについても、逃げ面６ａと同様に研削される。また、逃げ面６ａ〜６ｄを研削する際の研削砥石の移動方向は、底刃７ａ〜７ｄの軸芯Ｏ側端を始点とし、外周刃５ａ〜５ｄのシャンク側端を終点とする方向に限られず、その逆（即ち、外周刃５ａ〜５ｄのシャンク側端を始点とし、底刃７ａ〜７ｄの軸芯Ｏ側端を終点とする方向）であっても良い。
【００３２】
図３及び図４は、ラジアスエンドミルの逃げ面形状を測定してグラフ化した図であり、図３では本発明のラジアスエンドミル１のコーナＲ刃８ａ〜８ｄ及び外周刃５ａ〜５ｄの逃げ面６ａ〜６ｄ形状が、図４では従来のラジアスエンドミルのコーナＲ刃及び外周刃の逃げ面形状が、それぞれ図示されている。
【００３３】
なお、測定には、コーナ半径２ｍｍのコーナＲ刃を有するラジアスエンドミルを使用した。図３及び図４では、縦軸と横軸との交点（原点）位置付近がコーナＲ刃の逃げ面と底刃の逃げ面との接続部分に対応し、横軸上の略１．５ｍｍ付近がコーナＲ刃の逃げ面と外周刃の逃げ面との接続部分に対応する。
【００３４】
また、図３及び図４では、コーナＲ刃を真円と仮定した場合の理想逃げ面形状が２点鎖線を用いて図示されている。但し、図３では、各測定点を結ぶ実線と重なるため、２点鎖線が視認されない。
【００３５】
上述したように、本発明のラジアスエンドミル１では、逃げ面形成工程において、逃げ面６ａ〜６ｄの研削をそれぞれ一工程で連続して行うため、図３に示すように、コーナＲ刃８ａ〜８ｄの逃げ面６ａと外周刃５ａ〜５ｄの逃げ面との接続部分が滑らかに連なり、かかる接続部分に段差が発生することを回避することができる。
【００３６】
一方、従来品のラジアスエンドミルでは、逃げ面形成工程において、外周刃及び底刃の逃げ面の研削をそれぞれ別工程で行った後、コーナＲ刃の逃げ面の研削を更に別工程で行うため、図４に示すように、コーナＲ刃の逃げ面と外周刃の逃げ面との接続部分を滑らかに連ならせることができず、かかる接続部分に段差が発生している。
【００３７】
即ち、従来品のラジアスエンドミルでは、コーナＲ刃の逃げ面を研削する際、その研削砥石が外周刃（又は底刃）の逃げ面に食い込むことを回避するべく、外周刃（又は底刃）の逃げ面との接続部分近傍では研削砥石を理想逃げ面形状よりも大きな半径で移動させる。そのため、外周刃（又は底刃）の逃げ面とコーナＲ刃の逃げ面との接続部分には、図４に示すように、外方に突出する鋭角形状の段差が発生する。
【００３８】
なお、図３及び図４では、コーナＲ刃と底刃との接続部分における逃げ面形状の図示を省略したが、かかる接続部分においても、上述と同様の結果（即ち、本発明のラジアスエンドミル１では、コーナＲ刃８ａ〜８ｄの逃げ面６ａと底刃７ａ〜７ｄの逃げ面６ａとの接続部分が滑らかに連なる一方、従来のラジアスエンドミルでは、コーナＲ刃の逃げ面と底刃の逃げ面との接続部分に段差が発生した）が得られた。
【００３９】
次いで、図５から図８を参照して、上述のように構成されたラジアスエンドミル１を用いて行った３種類の切削試験（以下、第１から第３の試験と称す。）の試験結果について説明する。
【００４０】
図５は、被切削物Ｗ及びラジアスエンドミル１の斜視図である。なお、図５では、ラジアスエンドミル１が模式的に図示されると共に、被切削物Ｗの奥行き方向及び幅方向の図示が省略されている。
【００４１】
第１から第３の試験は、図５に示すように、ラジアスエンドミル１で被切削物Ｗの切削加工（軸方向切り込み深さａａ、径方向切り込み深さａｒ）を行い、逃げ面摩耗ＶＢと被削面Ｓの面粗さＲｚとを測定する試験である。なお、図５中には、送り方向を矢印Ａで、ピック方向を矢印Ｂで、それぞれ図示した。
【００４２】
まず、第１の試験について説明する。第１の試験は、側面切削を行い、外周刃５ａ〜５ｄ及び底刃７ａ〜７ｃの逃げ面６ａ〜６ｄに生じる摩耗状態（逃げ面摩耗ＶＢ）をそれぞれ測定する試験である。なお、切削距離は、送り方向（図５矢印Ａ方向）に１０．５ｍである。
【００４３】
第１の試験の詳細諸元は、被切削物Ｗ：ＪＩＳ−ＳＫＤ１１（６０ＨＲＣ）、切削方法：側面切削（ダウンカット）、切削油材：不使用（エアブローによる乾式切削）、使用機械：縦型マシニングセンタ、主軸回転速度：２８００回転／ｍｉｎ、送り速度：１６８０ｍｍ／ｍｉｎ（０．６ｍｍ／回転）、軸方向切り込み深さａａ：１２ｍｍ、径方向切り込み深さａｒ：０．６ｍｍであり、ラジアスエンドミル１の詳細諸元は、工具材質：超硬合金、刃数：６枚歯、外径Ｄ：１２ｍｍ、コーナ半径Ｒ：３ｍｍである。
【００４４】
また、第１の試験は、本発明のラジアスエンドミル１（以下、「発明品」と称す。）と、その発明品と緒元は同一であるが、発明品と逃げ面の形成方法のみが異なるラジアスエンドミル（以下、「従来品」と称す。）とを用いて行った。
【００４５】
なお、従来品の逃げ面の形成方法は、上述したように、外周刃及び底刃の逃げ面の研削をそれぞれ別工程で行った後、コーナＲ刃の逃げ面の研削を更に別工程で行う。そのため、各逃げ面の接続部分を滑らかに連ならせることができず、かかる接続部分に段差が発生している（図４参照）。
【００４６】
図６は、第１の試験の測定結果を示した図であり、横軸には、逃げ面摩耗ＶＢの切削方向の最大幅を示している。
【００４７】
図６に示すように、外周刃の逃げ面の摩耗幅については、従来品の摩耗幅が略０．１８０ｍｍであったのに対し、発明品の摩耗幅が略０．０６２ｍｍであり、発明品の摩耗幅が従来品の摩耗幅の略３４％まで減少することが確認された。
【００４８】
これは、上述したように、従来品では、外周刃の逃げ面とコーナＲ刃の逃げ面との接続部分に段差が生じているため、かかる段差部分に切削負荷が集中して、摩耗が促進されたのに対し、発明品では、前記接続部が滑らかに連なっており、切削負荷の集中が抑制されたことに起因するものと考えられる。
【００４９】
一方、底刃の逃げ面の摩耗幅については、従来品の摩耗幅及び発明品の摩耗幅が共に略０．０６４ｍｍとなり、両者の間に差異が見られなかった。これは、コーナ半径Ｒ（３ｍｍ）に対して、径方向切り込み深さａｒ（０．６ｍｍ）が小さいという切削条件に起因したと考えられる。
【００５０】
次いで、第２の試験について説明する。第２の試験は、正面切削を行い、底刃７ａ〜７ｃの逃げ面６ａ〜６ｄに生じる摩耗状態（逃げ面摩耗ＶＢ）を測定する試験である。なお、切削距離は、送り方向（図５矢印Ａ方向）に４２ｍである。
【００５１】
第２の試験の詳細諸元は、被切削物Ｗ：ＪＩＳ−ＳＫＤ８１（５０ＨＲＣ）、切削方法：正面切削（ダウンカット）、切削油材：不使用（エアブローによる乾式切削）、使用機械：縦型マシニングセンタ、主軸回転速度：５３００回転／ｍｉｎ、送り速度：９５４ｍｍ／ｍｉｎ（０．１８ｍｍ／回転）、軸方向切り込み深さａａ：０．６ｍｍ、径方向切り込み深さａｒ：３．８ｍｍであり、ラジアスエンドミル１の詳細諸元は、工具材質：超硬合金、刃数：６枚歯、外径Ｄ：６ｍｍ、コーナ半径Ｒ：１ｍｍである。
【００５２】
また、第２の試験は、上述した第１の試験の場合と同様に、本発明のラジアスエンドミル１（以下、「発明品」と称す。）と、その発明品と緒元は同一であるが、発明品と逃げ面の形成方法のみが異なるラジアスエンドミル（以下、「従来品」と称す。）とを用いて行った。
【００５３】
図７は、第２の試験の測定結果を示した図であり、横軸には、逃げ面摩耗ＶＢの切削方向の最大幅を示している。
【００５４】
図７に示すように、第２の試験では、従来品の底刃の摩耗幅が略０．０８５ｍｍであったのに対し、発明品の底刃の摩耗幅が略０．０４２ｍｍであり、発明品の摩耗幅が従来品の摩耗幅の略５０％まで減少することが確認された。
【００５５】
これは、上述した第１の試験の場合と同様に、従来品では、底刃の逃げ面とコーナＲ刃の逃げ面との接続部分に段差が生じているため、かかる段差部分に切削負荷が集中して、摩耗が促進されたのに対し、発明品では、前記接続部が滑らかに連なっており、切削負荷の集中が抑制されたことに起因するものと考えられる。
【００５６】
次いで、第３の試験について説明する。第３の試験は、正面切削を行い、被削面Ｓの面粗さＲｚを測定する試験である。なお、被削面Ｓの面粗さＲｚの測定は、正面切削を複数回パス（合計切削距離：４２ｍ）だけ行った際の最後のラップ部分で計測した。なお、第３の試験の詳細諸元は、上述した第２の試験と同様であるので、省略する。
【００５７】
図８は、第３の試験の測定結果を示した図である。図８に示すように、ピック方向（図５矢印Ｂ方向）に沿って計測した面粗さＲｚについては、従来品が略５．６μｍであったのに対し、発明品が略３．２μｍであり、発明品の摩耗幅が従来品の摩耗幅の略５７％まで減少することが確認された。
【００５８】
同様に、送り方向（図５矢印Ａ方向）に沿って計測した面粗さＲｚについては、図８に示すように、従来品が略２．８μｍであったのに対し、発明品が略１．９μｍであり、発明品の摩耗幅が従来品の摩耗幅の略６８％まで減少することが確認された。
【００５９】
これは、上述したように、従来品では、底刃の逃げ面とコーナＲ刃の逃げ面との接続部分に段差が生じているため、かかる段差部分により被削面Ｓに筋が形成されやすくなるのに対し、発明品では、前記接続部が滑らかに連なっており、被削面Ｓへの筋の形成が抑制されたことに起因するものと考えられる。
【００６０】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００６１】
例えば、上記実施の形態で挙げた数値は一例であり、他の数値を採用することは当然可能である。
【図面の簡単な説明】
【００６２】
【図１】本発明の一実施の形態であるラジアスエンドミルの正面図である。
【図２】図１の矢印ＩＩ方向から見たラジアスエンドミルの先端面図である。
【図３】本発明のラジアスエンドミルの逃げ面形状を測定してグラフ化した図である。
【図４】従来のラジアスエンドミルの逃げ面形状を測定してグラフ化した図である。
【図５】被切削物及びラジアスエンドミルの斜視図である。
【図６】第１の試験の測定結果を示した図である。
【図７】第２の試験の測定結果を示した図である。
【図８】第３の試験の測定結果を示した図である。
【符号の説明】
【００６３】
１            ラジアスエンドミル
２            工具本体
Ｏ            軸芯
５ａ〜５ｄ    外周刃
６ａ〜６ｄ    逃げ面
７ａ〜７ｄ    底刃
８ａ〜８ｄ    コーナＲ刃
【図１】
2006263870.tif 000003
【図２】
2006263870.tif 000004
【図３】
2006263870.tif 000005
【図４】
2006263870.tif 000006
【図５】
2006263870.tif 000007
【図６】
2006263870.tif 000008
【図７】
2006263870.tif 000009
【図８】
2006263870.tif 000010